(57)【要約】【課題】投影画面上における投射位置を把握しての調整作業を簡単にして適確に行い得る構造のプロジェクタ角度調整用フット機構を提供すること。【解決手段】このフット機構は、外周部にネジ山部が一軸方向に延びて設けられた軸芯部１ａに対して筒状体１ｂを一軸方向では可動であり、且つ回転が阻止されるように係合して被せ、筒状体１ｂの端部近傍に結合固定した微調整ダイヤル２の回転操作により軸芯部１ａを回転可能として成る所定の間隔を有して配置された１対のフット部１（各軸芯部１ａのネジ山部の向きは反対）と、各フット部１の間隔内に配置され、プッシュボタン９を押圧操作していない非操作状態及びその押圧操作を解放した状態でそれぞれ各フット部１の軸芯部１ａへの機械的な係止を行い、且つ押圧操作した状態でそれぞれ各フット部１の軸芯部１ａへの機械的な係止の解放を行うロック／ロック解除機構とを備えている。【選択図】      図１
2004317608.tif 000002
【特許請求の範囲】
【請求項１】
外周部にネジ山部が所定の回転方向で一軸方向に延びて設けられた軸芯部に対して筒状体を該一軸方向では可動であり、且つ回転が阻止されるように係合して被せると共に、該筒状体の端部近傍に微調整ダイヤルを結合固定した上で該微調整ダイヤルを回転操作することで該軸芯部を回転可能として成る所定の間隔を有して配置された１対のフット部と、押圧操作に供される１個のプッシュボタンを含んで前記１対のフット部の前記間隔内に配置されると共に、該プッシュボタンを押圧操作していない非操作状態及び該プッシュボタンの押圧操作を解放した状態でそれぞれ該１対のフット部の前記軸芯部への機械的な係止を行い、且つ該プッシュボタンを押圧操作した状態でそれぞれ該１対のフット部の該軸芯部への機械的な係止の解放を行うロック／ロック解除機構とを備えたことを特徴とするプロジェクタ角度調整用フット機構。
【請求項２】
請求項１記載のプロジェクタ角度調整用フット機構において、前記１対のフット部では、それぞれ前記軸芯部における前記ネジ山部よりも先端部分に外方へ突出したガイド部が設けられ、前記筒状体の内周部には前記ガイド部を案内するためのガイド溝が設けられたことを特徴とするプロジェクタ角度調整用フット機構。
【請求項３】
請求項１又は２記載のプロジェクタ角度調整用フット機構において、前記１対のフット部では、それぞれ前記軸芯部に前記筒状体を被せた前記一軸方向での最短状態で前記ネジ山部における端部近傍の局部が前記筒状体から露呈しており、前記ロック／ロック解除機構は、初期的に前記ネジ山部における端部近傍の局部に対して前記機械的な係止及び前記機械的な係止の解放が可能であることを特徴とするプロジェクタ角度調整用フット機構。
【請求項４】
請求項３記載のプロジェクタ角度調整用フット機構において、前記プッシュボタンの押圧操作部分と前記微調整ダイヤルの前記筒状体における結合固定箇所とは、前記一軸方向における前記ネジ山部の露呈側と反対側に配置されたことを特徴とするプロジェクタ角度調整用フット機構。
【請求項５】
請求項１〜４の何れか一つに記載のプロジェクタ角度調整用フット機構において、前記１対のフット部では、それぞれ前記軸芯部の前記ネジ山部の方向が互いに反対向きとなっていることを特徴とするプロジェクタ角度調整用フット機構。
【請求項６】
請求項１〜５の何れか一つに記載のプロジェクタ角度調整用フット機構において、前記ロック／ロック解除機構は、一端部がそれぞれ軸支されると共に、前記１対のフット部の前記軸芯部における前記ネジ山部に対するネジ受け溝部が設けられた他端部がそれぞれ該軸芯部に当接係合されて該軸芯部を係止する１対のロック片と、前記１対のロック片の間隔内に前記一軸方向と垂直な方向に延在して配置されて外方側端部が該１対のロック片の略中央部との間でそれぞれ軸支される１対のアームと、略円板状の中央部から外方へアーム部が延在して成ると共に、該中央部における中心部分が軸支され、且つ該軸支部分を挟むように径方向で隔たった２箇所が前記１対のアームの内方側端部に軸支される１個のリンクアームと、前記リンクアームにおける前記アーム部にあっての前記一軸方向での前記プッシュボタン側と反対側の局部を一端側で付勢するスプリングとを備え、更に、前記リンクアームにおける前記アーム部にあっての前記一軸方向での前記プッシュボタン側の局部が該プッシュボタンを実装したロッドにより当接されて成ることを特徴とするプロジェクタ角度調整用フット機構。
【請求項７】
請求項６記載のプロジェクタ角度調整用フット機構において、前記１対のフット部と前記ロック／ロック解除機構とを装着するためのセット部は、前面が開放されて奥行側の平坦面の４つの辺部から立設された４つの辺片部がそれぞれ隣り合うもの同士で垂直な関係を成すフットユニットを持つものであり、更に、前記４つの辺片部のうちの鉛直方向下方に位置される一つのものは、前記スプリングの他端側が局部で支持されると共に、前記フットユニットにおける前面側の近傍で前記１対のフット部における前記軸芯部をそれぞれ部分的に鉛直方向下方の外方へ突出可能なものであることを特徴とするプロジェクタ角度調整用フット機構。
【発明の詳細な説明】
【０００１】
【発明の属する技術分野】
本発明は、主として映写機の投影画面等に適用されるプロジェクタ（光学投影系）角度調整用フット機構であって、詳しくは１箇所のプッシュボタンを押圧操作した上で２箇所のフット部を同時に調整操作できる構造のプロジェクタ角度調整用フット機構に関する。
【０００２】
【従来の技術】
従来、この種のプロジェクタ角度調整用フット機構としては、例えば図７に示されるような構造のもの（製品化済みのもので、文献公知発明に係るものでない）が挙げられる。
【０００３】
このプロジェクタ角度調整用フット機構は、外周部にネジ山部が所定の回転方向で一軸方向に延びて設けられたネジシャフト１２の一端部分に調整ダイヤル１６を結合固定した上で調整ダイヤル１６を回転操作することでネジシャフト１２を一軸方向で進退移動可能な１個のフット部１３を用い、このフット部１３のネジシャフト１２の中途部分に対して回転移動を係止するためのネジ山部に対するネジ受け溝部が設けられたロック機構１４とその係止状態を解除するためのプッシュボタン１７を含むロック解除機構１５とが装着される構造となっている。
【０００４】
これらの１個のフット部１３とロック機構１４及びロック解除機構１５とから成るプロジェクタ角度調整用フット機構を装着するためのセット部は、互いに垂直な位置関係を成すセット片１８，１９の隅部近傍であり、各部をセット片１８，１９の隅部近傍に取り付けることにより、セット片１８，１９で区画される投影画面上における投射位置の角度を調整できるようになっている。尚、ここでのロック機構１４及びロック解除機構１５はプッシュボタン１７を含むと共に、板ばねや切片等を組み合わせて機械的に係合させることで連動するもので、ロック機構１４はプッシュボタン１７を押圧操作していない非操作状態やプッシュボタン１７の押圧操作を解放した状態でフット部１３のネジシャフト１２における中途部分を付勢してネジシャフト１２への機械的な係止を行い、ロック解除機構１５はプッシュボタン１７を押圧操作した状態でロック機構１４によるフット部１３のネジシャフト１２への機械的な係止を解放できるように構成されている。
【０００５】
このようなプロジェクタ角度調整用フット機構において、セット片１８，１９で区画される投影画面上における投射位置の角度を光学的な精度で所望に調整設定する場合、先ずプッシュボタン１７を矢印で示される方向に押圧操作してロック解除機構１５を働かせることでロック機構１４によるフット部１３のネジシャフト１２への係止を解除し、次に係止解除状態を維持しながら調整ダイヤル１６を回転操作してフット部１３のネジシャフト１２を一軸方向で上下移動（進退）させて投影画面上における投射位置を確認することにより、セット片１８，１９の位置（角度）を光学的精度で調整した後、プッシュボタン１７の押圧操作を解放してロック機構１４を働かせることでフット部１３のネジシャフト１２における中途部分を係止し、これによって投影画面上における投射位置を所望に設定する。
【０００６】
【発明が解決しようとする課題】
上述したプロジェクタ角度調整用フット機構の場合、基本的に１個のフット部を用いてプッシュボタンを押圧操作してロック解除機構を働かせてロック機構によるロックを解除した状態を維持した上、調整ダイヤルを回転操作してフット部のネジシャフトを一軸方向で進退移動させて投影画面上における投射位置の角度を調整する構造であるため、調整を要する投影画面が大きくてセット部への装着部分が広範囲であれば、係る構造のフット機構を２個以上装着して使用することが必要になるが、こうした場合にはセット部としての装着箇所がセット片による隅部に限定されてしまうという不便さを伴うばかりでなく、例えばフット機構を２箇所装着して使用する条件下を想定すれば、作業者は両手で各フット機構におけるプッシュボタンを同時に押圧操作してロック解除作業を行った上でフット部の先端部分の調整ダイヤルを指で回転操作するが、フット機構全体では各フット部のネジ山部が同じ回転方向で設けられているために調整ダイヤルを同じ方向へ回転操作するときに手作業では殆ど回転操作量が同じとはならない場合が多く、これによって各フット部にあってのネジシャフトの一軸方向における上下移動  （進退）の方向が逆になって投影画面上における投射位置がずれてしまうことにより、しばしば調整作業にストレスを感じてしまうことがあり、作業者にとって投影画面上における投射位置を把握しての調整作業が大変煩雑となっているという問題がある。
【０００７】
本発明は、このような問題点を解決すべくなされたもので、その技術的課題は、セット部への装着部分が広範囲であっても容易に適用可能であると共に、投影画面上における投射位置を把握しての調整作業を簡単にして適確に行い得る構造のプロジェクタ角度調整用フット機構を提供することにある。
【０００８】
【課題を解決するための手段】
本発明によれば、外周部にネジ山部が所定の回転方向で一軸方向に延びて設けられた軸芯部に対して筒状体を該一軸方向では可動であり、且つ回転が阻止されるように係合して被せると共に、該筒状体の端部近傍に微調整ダイヤルを結合固定した上で該微調整ダイヤルを回転操作することで該軸芯部を回転可能として成る所定の間隔を有して配置された１対のフット部と、押圧操作に供される１個のプッシュボタンを含んで１対のフット部の間隔内に配置されると共に、該プッシュボタンを押圧操作していない非操作状態及び該プッシュボタンの押圧操作を解放した状態でそれぞれ該１対のフット部の軸芯部への機械的な係止を行い、且つ該プッシュボタンを押圧操作した状態でそれぞれ該１対のフット部の該軸芯部への機械的な係止の解放を行うロック／ロック解除機構とを備えたプロジェクタ角度調整用フット機構が得られる。
【０００９】
又、本発明によれば、上記プロジェクタ角度調整用フット機構において、１対のフット部では、それぞれ軸芯部におけるネジ山部よりも先端部分に外方へ突出したガイド部が設けられ、筒状体の内周部にはガイド部を案内するためのガイド溝が設けられたプロジェクタ角度調整用フット機構が得られる。
【００１０】
更に、本発明によれば、上記何れかのプロジェクタ角度調整用フット機構において、１対のフット部では、それぞれ軸芯部に筒状体を被せた一軸方向での最短状態でネジ山部における端部近傍の局部が筒状体から露呈しており、ロック／ロック解除機構は、初期的にネジ山部における端部近傍の局部に対して機械的な係止及び機械的な係止の解放が可能であるプロジェクタ角度調整用フット機構が得られる。このプロジェクタ角度調整用フット機構において、プッシュボタンの押圧操作部分と微調整ダイヤルの筒状体における結合固定箇所とは、一軸方向におけるネジ山部の露呈側と反対側に配置されたことは好ましい。
【００１１】
加えて、本発明によれば、上記何れか一つのプロジェクタ角度調整用フット機構において、１対のフット部では、それぞれ軸芯部のネジ山部の方向が互いに反対向きとなっているプロジェクタ角度調整用フット機構が得られる。
【００１２】
一方、本発明によれば、上記何れか一つのプロジェクタ角度調整用フット機構において、ロック／ロック解除機構は、一端部がそれぞれ軸支されると共に、１対のフット部の軸芯部におけるネジ山部に対するネジ受け溝部が設けられた他端部がそれぞれ該軸芯部に当接係合されて該軸芯部を係止する１対のロック片と、１対のロック片の間隔内に一軸方向と垂直な方向に延在して配置されて外方側端部が該１対のロック片の略中央部との間でそれぞれ軸支される１対のアームと、略円板状の中央部から外方へアーム部が延在して成ると共に、該中央部における中心部分が軸支され、且つ該軸支部分を挟むように径方向で隔たった２箇所が１対のアームの内方側端部に軸支される１個のリンクアームと、リンクアームにおけるアーム部にあっての一軸方向でのプッシュボタン側と反対側の局部を一端側で付勢するスプリングとを備え、更に、リンクアームにおけるアーム部にあっての一軸方向でのプッシュボタン側の局部が該プッシュボタンを実装したロッドにより当接されて成るプロジェクタ角度調整用フット機構が得られる。
【００１３】
他方、本発明によれば、上記プロジェクタ角度調整用フット機構において、１対のフット部とロック／ロック解除機構とを装着するためのセット部は、前面が開放されて奥行側の平坦面の４つの辺部から立設された４つの辺片部がそれぞれ隣り合うもの同士で垂直な関係を成すフットユニットを持つものであり、更に、４つの辺片部のうちの鉛直方向下方に位置される一つのものは、スプリングの他端側が局部で支持されると共に、フットユニットにおける前面側の近傍で１対のフット部における軸芯部をそれぞれ部分的に鉛直方向下方の外方へ突出可能なものであるプロジェクタ角度調整用フット機構が得られる。
【００１４】
【発明の実施の形態】
以下に本発明の実施の形態について、図面を参照して詳細に説明する。図１は、本発明の一つの実施の形態に係るプロジェクタ角度調整用フット機構の基本構造を示したもので、同図（ａ）は側面方向での一部透視した全体の概略図に関するもの，同図（ｂ）は同図（ａ）のＡ−Ａ線矢視方向におけるフット部１の内部構造を示す断面図に関するものである。
【００１５】
このプロジェクタ角度調整用フット機構は、外周部にネジ山部が所定の回転方向で一軸方向に延びて設けられた軸芯部１ａに対して筒状体１ｂを一軸方向では可動であり、且つ回転が阻止されるように係合して被せると共に、筒状体１ｂの端部近傍に微調整ダイヤル２を結合固定した上で微調整ダイヤル２を回転操作することで軸芯部１ａを回転可能として成る所定の間隔を有して配置された１対のフット部１と、押圧操作に供される１個のプッシュボタン９を含んで１対のフット部１の間隔内に配置されると共に、プッシュボタン９を押圧操作していない非操作状態及びプッシュボタン９の押圧操作を解放した状態でそれぞれ１対のフット部１の軸芯部１ａへの機械的な係止を行い、且つプッシュボタン９を押圧操作した状態でそれぞれ１対のフット部１の軸芯部１ａへの機械的な係止の解放を行うロック／ロック解除機構とを備えている。
【００１６】
このうち、１対のフット部１では、図１（ａ）に示されるように、それぞれ軸芯部１ａに筒状体１ｂを被せた一軸方向での最短状態でネジ山部における端部近傍の局部が筒状体１ｂから露呈しており、このネジ山部における端部近傍の局部に対して初期的にロック／ロック解除機構による機械的な係止及び機械的な係止の解放が可能となっている他、図１（ｂ）に示されるように、それぞれ軸芯部１ａにおけるネジ山部よりも先端部分に外方へ突出したガイド部１ａ′が設けられ、筒状体１ｂの内周部にはガイド部１ａ′を案内するためのガイド溝１ｂ′が設けられている。このプロジェクタ角度調整用フット機構の場合、微調整ダイヤル２が筒状体１ｂに結合固定されることでその全体が調整ノブの役割を果たすと共に、プッシュボタン９がロッド７に実装されるようになっているが、プッシュボタン９の押圧操作部分と微調整ダイヤル２の筒状体１ｂにおける結合固定箇所とは、１対のフット部１の一軸方向におけるネジ山部の露呈側と反対側に配置されている。
【００１７】
又、ロック／ロック解除機構は、一端部がそれぞれ軸支されると共に、１対のフット部１の軸芯部１ａにおけるネジ山部に対するネジ受け溝部が設けられた他端部がそれぞれ軸芯部１ａに当接係合されて軸芯部１ａを係止する１対のロック片３と、１対のロック片３の間隔内に一軸方向と垂直な方向に延在して配置されて外方側端部が１対のロック片３の略中央部との間でそれぞれ軸支される１対のアーム５，６と、略円板状の中央部から外方へアーム部が延在して成ると共に、中央部における中心部分が軸支され、且つその軸支部分を挟むように径方向で隔たった２箇所が１対のアーム５，６の内方側端部に軸支される１個のリンクアーム４と、リンクアーム４におけるアーム部にあっての一軸方向でのプッシュボタン９側と反対側の局部を一端側で付勢するスプリング８とを備え、更に、リンクアーム４におけるアーム部にあっての一軸方向でのプッシュボタン９側の局部がプッシュボタン９を実装したロッド７により当接されて構成されている。
【００１８】
このプロジェクタ角度調整用フット機構は、１箇所のプッシュボタン９を押圧操作してロック／ロック解除機構のロック解除機能を働かせた上で２箇所のフット部１を同時に調整操作できる構造となっている。
【００１９】
具体的に言えば、初期状態ではロック／ロック解除機構のロック機能が働いており、１対のフット部１における最短状態で軸芯部１ａの筒状体１ｂから露呈されたネジ山部における端部近傍の局部に１対のロック片３のネジ受け溝部が設けられた他端部が当接されて機械的な係止状態にあるが、プッシュボタン９を押下してロッド７を図１（ａ）中の下方向へ押し下げると、ロッド７がスプリング８により支持されているリンクアーム４のアーム部を押し下げ（このときにスプリング８は縮められる）、これによってリンクアーム４の円板状の中央部が回転動作し、それに伴って１対のアーム５，６が揺動して１対のロック片３を連動させ、各ロック片３の他端部が軸芯部１ａのネジ山部から離間されることで係止状態を解除する。
【００２０】
１対のロック片３により係止状態が解除された各フット部１における軸芯部１ａは、ネジ山部よりも先端のガイド部１ａ′が微調整ダイヤル２を結合固定した筒状体１ｂの内周面に設けられたガイド溝１ｂ′に沿って自重により落下（或いは各軸芯部１ａのガイド部１ａ′の先端に別途スプリングを設けるようにすれば、強制的に軸芯部１ａを落下させるようにすることもできる）し、投影画面上における所望の投射位置に相当する位置で床面と接地して止まる。
【００２１】
そこで、おおよその投射位置が確定すると、プッシュボタン９を解除してロック／ロック解除機構のロック機能を働かせ、軸芯部１ａのネジ山部に１対のロック片３のネジ受け溝部が設けられた他端部を当接させて機械的な係止状態とした後、投影画面上における投射位置の微妙なズレを修正するため、微調整ダイヤル２を回転操作して各フット部１の筒状体１ｂに対する軸芯部１ａにおけるネジ山部の一軸方向での露出度合い（上下動）の調整を行うことで投射画面上における投影位置の微調整（角度微調整）を行う。
【００２２】
図３は、上述したプロジェクタ角度調整用フット機構のフット部１における軸芯部１ａのネジ山部の一形態を示した要部の部分拡大図である。又、図４は、同様にプロジェクタ角度調整用フット機構のフット部１における軸芯部１ａのネジ山部の他形態を示した要部の部分拡大図である。
【００２３】
ここでは、図３に示される軸芯部１ａのネジ山部の向きと図４に示される軸芯部１ａのネジ山部の向きとが反対向きとなっており、各フット部１には何れも場合も適用することができることを示している。即ち、各フット部１における軸芯部１ａのネジ山部として適用可能な形態として、図３又は図４に示される何れか一つの形態のものを採用してネジ山部の方向を揃えたり、或いは図３及び図４に示される双方の形態のものを採用して互いに反対向きとすることができる。
【００２４】
図５は、上述したプロジェクタ角度調整用フット機構におけるフット部１における軸芯部１ａのネジ山部の方向が同じ場合のセット部１１への装着状態を例示した斜視方向での一部透視した外観図である。又、図６は、同様に上述したプロジェクタ角度調整用フット機構におけるフット部１における軸芯部１ａのネジ山部の方向が異なる場合のセット部１１への装着状態を例示した斜視方向での一部透視した外観図である。
【００２５】
ここでの１対のフット部１とロック／ロック解除機構とを装着するためのセット部１１は、前面が開放されて奥行側の平坦面の４つの辺部から立設された４つの辺片部がそれぞれ隣り合うもの同士で垂直な関係を成すフットユニット１０を持つものであり、更に、４つの辺片部のうちの鉛直方向下方に位置される一つのもの（下辺部）は、スプリング８の他端側が局部で支持されると共に、フットユニット１０における前面側の近傍で１対のフット部１における軸芯部１ａをそれぞれ部分的に鉛直方向下方の外方へ突出可能なものとなっている。
【００２６】
図５及び図６の何れも構成についても、各フット部１とロック／ロック解除機構とをフットユニット１０を含むセット部１１に収納する場合には、プッシュボタン９を押圧したまま各フット部１の軸芯部１ａを下げた状態で４つの辺片部の下辺部のものの局部にスプリング８の他端側を引っ掛けるようにして各フット部１の微調整ダイヤル２及びそれを結合固定した筒状体１ｂとプッシュボタン９を含むロック／ロック解除機構の全体とをフットユニット１０内の所定の位置に収納し、その後にプッシュボタン９の押圧を解放すれば良い。但し、この状態では１対のロック片３の一端部の軸支部分とリンクアーム４の中央部における中心部分の軸支部分とがフットユニット１０の平坦面の所定箇所に実装され、上述したようにフットユニット１０における前面側の近傍で１対のフット部１における軸芯部１ａが部分的に鉛直方向下方の外方へ突出された状態となるが、未使用状態では必要に応じて、更にプッシュボタン９を押圧操作して軸芯部１ａを筒状体１ｂ内へ最大限に押し上げてプッシュボタン９の押圧操作を解放すれば、１対のフット部１の全体をフットユニット１０の寸法内に配置させることもできる。
【００２７】
このようにフットユニット１０を持つセット部１１に装着されたプロジェクタ角度調整用フット機構は、図５及び図６の何れにおいても、投影画面上の投影位置の調整時（角度調整時）に図７に示した従来のプロジェクタ角度調整用フット機構の場合のようにセット片１９の鉛直方向下方に突出したネジシャフト１２の先端の調整ダイヤル１６を指で回転操作して調整するものとは異なり、フットユニット１０内の上側でセット部１１の側面や天面部に近接した調整操作し易い位置に微調整ダイヤル２を配置しているために一層操作を精巧に行い易く、セット部１１への装着部分が広範囲であっても容易に適用可能なものとなっている他、図５に示されるように１対のフット部１における軸芯部１ａのネジ山部が同じ方向の構造であれば、微調整ダイヤル２を同じ方向へ回転操作すると１対のフット部１の軸芯部１ａの上下移動方向が逆になるが、図６に示されるように１対のフット部１における軸芯部１ａのネジ山部が異なる方向の構造であれば、微調整ダイヤル２を同じ方向へ回転操作すると１対のフット部１の軸芯部１ａの上下移動方向が同じになり、投影画面上における投射位置の調整時（角度調整時）に１対のフット部１の移動方向を同調させて投影画面上における投射位置のズレを防止することができるため、投影画面上における投射位置を把握しての調整作業を簡単にして適確に行い得るものとなる。従って、基本構造上では図６に示したものの方が図５に示したものよりも好ましい。
【００２８】
【発明の効果】
以上に説明した通り、本発明のプロジェクタ角度調整用フット機構によれば、１箇所のプッシュボタンを押圧操作してロック／ロック解除機構のロック解除機能を働かせた上で２箇所のフット部を同時に調整操作できる構造とし、１対のフット部においてネジ山部が設けられた軸芯部に被せられる筒状体の端部近傍に接合固定される微調整ダイヤルを各フット部とロック／ロック解除機構とを収納するセット部のフットユニット内の上側でセット部の側面や天面部に近接した調整操作し易い位置に配置しているため、従来機構のネジシャフトの先端の調整ダイヤルを指で回転操作して調整するだけの構造のものよりも一層操作を精巧に行い易く、セット部への装着部分が広範囲であっても容易に適用可能なものとなり、しかも１対のフット部における軸芯部のネジ山部を異なる方向とする構造としているため、微調整ダイヤルを同じ方向へ回転操作することで１対のフット部の軸芯部の上下移動方向が同じになり、投影画面上における投射位置の調整時（角度調整時）に１対のフット部の移動方向を同調させて投影画面上における投射位置のズレを防止することができるようになるため、投影画面上における投射位置を把握しての調整作業を簡単にして適確に行い得るようになり、操作時のストレスを解消できるようになる。
【図面の簡単な説明】
【図１】本発明の一つの実施の形態に係るプロジェクタ角度調整用フット機構の基本構造を示したもので、（ａ）は側面方向での一部透視した全体の概略図に関するもの，（ｂ）は（ａ）のＡ−Ａ線矢視方向におけるフット部の内部構造を示す断面図に関するものである。
【図２】図１に示すプロジェクタ角度調整用フット機構のフット部における軸芯部が移動した状態を示す側面方向での一部透視した全体の概略図である。
【図３】図１に示すプロジェクタ角度調整用フット機構のフット部における軸芯部のネジ山部の一形態を示した要部の部分拡大図である。
【図４】図１に示すプロジェクタ角度調整用フット機構のフット部における軸芯部のネジ山部の他形態を示した要部の部分拡大図である。
【図５】図１に示すプロジェクタ角度調整用フット機構におけるフット部における軸芯部のネジ山部の方向が同じ場合のセット部への装着状態を例示した斜視方向での一部透視した外観図である。
【図６】図１に示すプロジェクタ角度調整用フット機構におけるフット部における軸芯部のネジ山部の方向が異なる場合のセット部への装着状態を例示した斜視方向での一部透視した外観図である。
【図７】従来のプロジェクタ角度調整用フット機構の基本構造をセット部への装着状態として例示した側面方向での一部断面にした概略図である。
【符号の説明】
１，１３  フット部
１ａ  軸芯部
１ｂ  筒状体
１ａ′  ガイド部
１ｂ′  ガイド溝
２  微調整ダイヤル
３  ロック片
４  リンクアーム
５，６  アーム
７  ロッド
８  スプリング
９，１７  プッシュボタン
１０  フットユニット
１１  セット部
１２  ネジシャフト
１４  ロック機構
１５  ロック解除機構
１６  調整ダイヤル
１８，１９  セット片
【図１】
2004317608.tif 000003
【図２】
2004317608.tif 000004
【図３】
2004317608.tif 000005
【図４】
2004317608.tif 000006
【図５】
2004317608.tif 000007
【図６】
2004317608.tif 000008
【図７】
2004317608.tif 000009